【事件の表示】
　特許第６０８７４９１号発明「熱収縮性ポリエステル系フィルム」の特許異議申立事件について、次のとおり決定する。
【結　論】
　特許第６０８７４９１号の明細書、特許請求の範囲を訂正請求書に添付された訂正特許請求の範囲とおり、訂正後の請求項［１〜８］について訂正することを認める。
　特許第６０８７４９１号の請求項１ないし８に係る特許を取り消す。
【理　由】
第１　手続の経緯  
 　特許第６０８７４９１号（以下、「本件特許」という。）の請求項１ないし８に係る特許についての出願（以下、「本件出願」という。）は、２００８年（平成２０年）１２月１１日（パリ条約による優先権主張外国庁受理　２００７年１２月１１日　大韓民国（ＫＲ））を国際出願日とする出願であって、平成２９年２月１０日にその特許権の設定登録がされ、同年３月１日に特許公報への掲載がされ、その後、その請求項１ないし８に係る特許に対し、同年８月３１日（受理日同年９月４日）に特許異議申立人　早川いづみ（以下、単に「申立人」という。）により特許異議の申立てがされたものである。  
　そして、その後の手続の経緯は以下のとおりである。  
　
　平成２９年１１月３０日付け：取消理由通知書（同年１２月５日発送）  
　平成３０年　２月２７日　　：訂正請求書、意見書（特許権者）  
　平成３０年　４月２０日　　：意見書（申立人）
　平成３０年　６月２１日付け：取消理由通知書（同年６月２６日発送）
第２　訂正の適否についての判断  
１　訂正の内容 
　平成３０年２月２７日に提出された訂正請求書による訂正請求（以下、「本件訂正」という。）の訂正の内容は以下の（１）のとおりである（なお、合議体により、訂正部分に下線を付した。）。 
  
（１）　訂正事項１ 
　訂正前の請求項１の「機械方向に工程上自然に発生する延伸比」を、 
「機械方向にフィルムの製造工程上発生する自然延伸比」 
 に訂正する。  
  
２　訂正の適否  
（１）　訂正の目的の適否 
　訂正事項１は、取消理由（特許法第３６条第６項第２号）に対応して、訂正前の請求項１の「機械方向に工程上自然に発生する延伸比」を、「機械方向にフィルムの製造工程上発生する自然延伸比」とするものであるから、特許法第１２０条の５第２項ただし書き第３号に掲げる「明瞭でない記載の釈明」を目的とするものに該当する。 
  
（２）　新規事項の有無、及び特許請求の範囲の拡張・変更の存否 
　訂正事項１の「フィルムの製造工程上」については、願書に最初に添付された明細書（以下、「当初明細書」という。）の段落【００１０】に、 
　「また、本発明は、フィルムの製造工程、印刷工程、スリット工程及び容器製作工程のいずれかにおいて、一定張力を伴う工程中に発生する破断に対して安定でありながらも印刷均一性を確保した熱収縮性フィルムを提供する。」 
と記載され、また、段落【００４１】に 
「前記特性を有する本発明のポリエステル熱収縮フィルムは、下記のような製造工程によって製造できる。」と記載されており、訂正前の「工程上」が「フィルムの製造工程」上を意味するのは自明である。 
　また、訂正事項１に係る「自然延伸比」については、当初明細書の段落【００１８】、【００１９】、【００４５】に記載されている。 
　よって、訂正事項１は新規事項の追加には該当せず、特許法第１２０条の５第９項で準用する同法第１２６条第５項に適合する。 
　そして、訂正事項１は、実質上特許請求の範囲の拡張し、又は変更するものでないから、同法第１２０条の５第９項で準用する同法第１２６条第６項にも適合する。 
  
（３）　一群の請求項について  
　訂正事項による本件訂正は、訂正前の請求項１を訂正するものであるところ、訂正前の請求項１ないし８は、請求項１の記載を請求項２ないし７で直接又間接的に引用しており、訂正事項１により連動して訂正されるものであるから、訂正前の請求項１ないし８は一群の請求項である。 
  
（４）　まとめ 
　以上総括すると、訂正事項１による本件訂正は、特許法第１２０条の５第２項ただし書き第３号に掲げる事項を目的とするものであり、かつ、同条第４項の規定並びに同条第９項において準用する同法第１２６条第５項及び第６項の規定に適合するので、訂正請求書に添付された訂正特許請求の範囲のとおり、訂正することを認める。 
  
  
第３　本件発明について 
　上記第２のとおり、本件訂正は認容されるので、本件特許の請求項１ないし８に係る発明は、平成３０年２月２７日に提出された訂正請求書に添付された訂正特許請求の範囲の請求項１ないし８に記載された事項により特定される、以下のとおりのものである。 
  
　「【請求項１】 
　ポリエステルの押し出し及び延伸によって熱収縮性ポリエステル系フィルムを製造する方法であって、 
　前記熱収縮性ポリエステル系フィルムは、テレフタル酸、シュウ酸、マロン酸、コハク酸、アジピン酸、スベリン酸、アゼライン酸、セバシン酸、フタル酸、イソフタル酸、ナフタレンジカルボン酸、ジフェニルエーテルジカルボン酸のようなジカルボン酸を１種以上含むジカルボン酸成分と、エチレングリコール、ネオペンチルグリコール、プロピレングリコール、トリメチレングリコール、テトラメチレングリコール、ヘキサメチレングリコール、ジエチレングリコール、ポリアルキレングリコール、１，４−シクロヘキサンジメタノールのようなジオールを１種以上含むジオール成分とから得られるコポリエステルより選択される１種以上のコポリエステル、またはホモポリエステルと前記コポリエステルとの混合物を含み、 
　前記ポリエステルを、２００〜３５０℃で、ポリマーせん断速度が１００〜５００ｓｅｃ−１となるように調整して押し出す工程と、 
　機械方向にフィルムの製造工程上発生する自然延伸比に加えて、機械方向の総延伸比が３．５〜８．４％になるように機械方向に延伸する工程と、 
　幅方向に延伸する工程とを含み、 
　初期伸度１０％未満での主収縮方向に垂直な方向の強度が３．５〜６．５ｋｇ／ｍｍ２、主収縮方向に垂直な方向の破断伸度が５０〜７００％、厚さ均一度（ΔＲ）が４μｍ以下、主収縮方向に垂直な方向の収縮率が５％以下である熱収縮性ポリエステル系フィルムの製造方法。 
　　【請求項２】 
　前記幅方向に延伸する工程は、（ポリエステルのガラス転移温度−１０℃）〜（ポリエステルのガラス転移温度＋３０℃）の温度範囲で行われる請求項１に記載の熱収縮性ポリエステル系フィルムの製造方法。 
　　【請求項３】 
　前記熱収縮性ポリエステル系フィルムは、９５℃温水中での主収縮方向の収縮率が４０％以上であり、主収縮方向の破断伸度が６０〜１２０％である請求項１又は２に記載の熱収縮性ポリエステル系フィルムの製造方法。 
　　【請求項４】 
　前記熱収縮性ポリエステル系フィルムは、溶融ピーク温度が１９０〜２１０℃であり、固有粘度が０．６０〜０．７２ｄｌ／ｇである請求項１〜３のいずれか１項に記載の熱収縮性ポリエステル系フィルムの製造方法。 
　　【請求項５】 
　前記コポリエステルは、テレフタル酸単位を８０モル％以上含むジカルボン酸単位、及びエチレングリコール単位を６０モル％以上含むジオール単位を含む請求項１〜４のいずれか１項に記載の熱収縮性ポリエステル系フィルムの製造方法。 
　　【請求項６】 
　前記コポリエステルは、ガラス転移温度が６７〜７７℃、固有粘度が０．６０〜０．７５ｄｌ／ｇである請求項１〜５のいずれか１項に記載の熱収縮性ポリエステル系フィルムの製造方法。 
　　【請求項７】 
　前記ホモポリエステルは、ポリブチレンテレフタレートまたはポリトリエチレンテレフタレートである請求項１〜６のいずれか１項に記載の熱収縮性ポリエステル系フィルムの製造方法。 
　　【請求項８】 
　前記ポリブチレンテレフタレートは、ポリエステル樹脂の総量の７〜１５重量％で使用される請求項７に記載の熱収縮性ポリエステル系フィルムの製造方法。」 
第４　特許異議の申立てについて
　訂正された本件特許の請求項１ないし８に係る発明に対して、平成３０年６月２１日付けで概略以下の取消理由通知を通知し、期間を指定して意見書を提出する機会を与えたが、特許権者からは応答がなかった。
「１　本件の請求項１ないし８に係る発明についての特許は、特許請求の範囲の記載が下記の点で不備のため、特許法第３６条第６項第２号に規定する要件を満たしていない特許出願に対してされたものであるから、同法第１１３条第４号に該当し、取り消すべきものである。  
 ２　本件の請求項１ないし８に係る発明についての特許は、発明の詳細な説明の記載が下記の点で不備のため、特許法第３６条第４項第１号に規定する要件を満たしていない特許出願に対してされたものであるから、同法第１１３条第４号に該当し、取り消すべきものである。」 
　そして、上記取消理由は妥当なものと認められるので、本件請求項１ないし８に係る発明は、この取消理由によって取り消すべきものである。
　よって、結論のとおり決定する。
【異議決定日】
平成３０年１０月１９日（２０１８．１０．１９）
【訂正の要旨】
審決（決定）の【理由】欄参照。
（５７）【特許請求の範囲】
　【請求項１】
　ポリエステルの押し出し及び延伸によって熱収縮性ポリエステル系フィルムを製造する方法であって、
　前記熱収縮性ポリエステル系フィルムは、テレフタル酸、シュウ酸、マロン酸、コハク酸、アジピン酸、スベリン酸、アゼライン酸、セバシン酸、フタル酸、イソフタル酸、ナフタレンジカルボン酸、ジフェニルエーテルジカルボン酸のようなジカルボン酸を１種以上含むジカルボン酸成分と、エチレングリコール、ネオペンチルグリコール、プロピレングリコール、トリメチレングリコール、テトラメチレングリコール、ヘキサメチレングリコール、ジエチレングリコール、ポリアルキレングリコール、１，４−シクロヘキサンジメタノールのようなジオールを１種以上含むジオール成分とから得られるコポリエステルより選択される１種以上のコポリエステル、またはホモポリエステルと前記コポリエステルとの混合物を含み、
　前記ポリエステルを、２００〜３５０℃で、ポリマーせん断速度が１００〜５００ｓｅｃ−１となるように調整して押し出す工程と、
　機械方向に
フィルムの製造工程上発生する自然延伸比
　幅方向に延伸する工程とを含み、
　初期伸度１０％未満での主収縮方向に垂直な方向の強度が３．５〜６．５ｋｇ／ｍｍ２、主収縮方向に垂直な方向の破断伸度が５０〜７００％、厚さ均一度（ΔＲ）が４μｍ以下、主収縮方向に垂直な方向の収縮率が５％以下である熱収縮性ポリエステル系フィルムの製造方法。
　【請求項２】
　前記幅方向に延伸する工程は、（ポリエステルのガラス転移温度−１０℃）〜（ポリエステルのガラス転移温度＋３０℃）の温度範囲で行われる請求項１に記載の熱収縮性ポリエステル系フィルムの製造方法。
　【請求項３】
　前記熱収縮性ポリエステル系フィルムは、９５℃温水中での主収縮方向の収縮率が４０％以上であり、主収縮方向の破断伸度が６０〜１２０％である請求項１又は２に記載の熱収縮性ポリエステル系フィルムの製造方法。
　【請求項４】
　前記熱収縮性ポリエステル系フィルムは、溶融ピーク温度が１９０〜２１０℃であり、固有粘度が０．６０〜０．７２ｄｌ／ｇである請求項１〜３のいずれか１項に記載の熱収縮性ポリエステル系フィルムの製造方法。
　【請求項５】
　前記コポリエステルは、テレフタル酸単位を８０モル％以上含むジカルボン酸単位、及びエチレングリコール単位を６０モル％以上含むジオール単位を含む請求項１〜４のいずれか１項に記載の熱収縮性ポリエステル系フィルムの製造方法。
　【請求項６】
　前記コポリエステルは、ガラス転移温度が６７〜７７℃、固有粘度が０．６０〜０．７５ｄｌ／ｇである請求項１〜５のいずれか１項に記載の熱収縮性ポリエステル系フィルムの製造方法。
　【請求項７】
　前記ホモポリエステルは、ポリブチレンテレフタレートまたはポリトリエチレンテレフタレートである請求項１〜６のいずれか１項に記載の熱収縮性ポリエステル系フィルムの製造方法。
　【請求項８】
　前記ポリブチレンテレフタレートは、ポリエステル樹脂の総量の７〜１５重量％で使用される請求項７に記載の熱収縮性ポリエステル系フィルムの製造方法。